(57)【要約】　　　（修正有）【課題】円筒形方式男性漏尿防止具において、放熱・換気を促進し、また、就寝中の上向き状態での蓄尿量の重みから少しづつくる違和感・尿道への圧迫感を排除する。【解決手段】合成樹脂からなる複数本の接続脚が立設された合成樹脂からなる上部半円形の丸棒の両端部に、弾力止め小玉を介して弾力性を有する先曲がり棒が固着されたＵ型圧迫排除折曲補助具４を設ける。Ｕ型圧迫排除折曲補助具４は、内部に陰茎を挿入するための陰茎挿入口と陰茎との接触防止の保護リングと、前記陰茎挿入口の上部に換気孔とを有し、外部を防尿カバーで覆う金網状からなる保護ガイド１−Ａを接続脚を介して取り付ける。【選択図】図６
0003099364.tif 000002
【実用新案登録請求の範囲】
【請求項１】
本考案は、実用登録第３０９３４４７号の保護ガイド１の形状を、Ｕ型圧迫排除曲折補助具接合に伴い、改良（図２）をした。又、実用登録第３０９３４４７号の漏尿防止具の動揺を防止するための寸法調整ゴムバンド１５の止め位置を改良多目的保護ガイド１−Ａと、Ｕ型圧迫排除曲折補助具の接合により、保護ガイド１より前垂れ部１１の止め穴３ヶ所１５−ｂに位置の変更をした。
【請求項２】
本考案は実用登録第３０９３４４７号の保護ガイド１の形状に、改良を加え、同一の樹脂で造形・加工して適度の強度と前後・左右に弾力性を保持、就寝用に開発したＵ型圧迫排除曲折補助具を、長・短接続脚により改良の保護ガイド陰茎押入口前部位置に接合させ、就寝中の蓄尿量の重みから少しずつくる、尿道への圧迫感の完全排除を確立し開発した、特徴の男性用漏尿防止具改良多目的保護ガイド１−Ａ。
【請求項３】
実用登録第３０９３４４７号の保護ガイド１は、防尿カバー安定のための独立させた独特のもので、上部には、換気孔２、内部には防尿カバーと陰茎との接触防止の保護リング３を設けているが、本考案は、更に換気孔に倍増面を設けて効率的で完全な放熱・換気孔として、本来の目的を画期的で効果を多大にしたのを特徴とする、男性用漏尿防止具改良多目的保護ガイド１−Ａ。
【請求項４】
本考案の使用には、実用登録第３０９３４４７号の請求項２の装着具を使用する。
【考案の詳細な説明】
【０００１】
【考案に属する技術分野】
本考案は、尿失禁の補助のための男性用漏尿防止具改良多目的保護ガイド１−Ａに関する。
【０００２】
【従来の技術】
本考案に係る、先行引用文献（１）実願平５−７６８９７号・（２）特開平１１−２９０３６５号・（３）特開平１１ー７６２８５号・（４）実願昭６１−６０８３９号・（５）特開平１１−１６９３９７号（以下従来の技術、文献（１）・（２）・（３）・（４）・（５）と称す）等、及びその考案が解決しようとする文献について、本来の目的達成のための円筒形方式男性漏尿防止具としての最重点課題である、放熱・換気と、夜間の就寝中の上向きの状態での蓄尿量の重みから少しずつくる違和感・尿道への圧迫感排除に関する。
【０００３】
従来の技術文献（１）（請求の範囲）によると、（請求項１）　１．非通水性紙を素材とし、底付き楕円筒である本体・・・以下省略、２．本体（１）の上部にソフト紙を素材としたソフトキャップ（９）を有する人体尿器挿入口（５）が設けられていることを特徴とする請求項１の男性用小用チビリ具とある。又、同従来の技術（０００５）（作用）　２．本体（１）の横切断面が楕円形であるため、長い方の横径が人体尿器（１０）の直経よりも大きいので、その空間から本体（１）内に空気の流通作用をする。とある。
【０００４】
従来の技術文献（２）（特許請求の範囲）の（請求項１）には、一部省略、筒状体内部に挿入されたペニスに対して前記の筒状体の口部を締め付け可能な締め付け手段を有することを特徴とする。とある。
【０００５】
従来の技術文献（３）は、（００１７）・（００２０）・（００３１）・（００３９）、従来から提案されているものに比して飛躍的に通気性が良くなり蒸れにくくなる。とある。
【０００６】
従来の技術文献（４）の実用新案登録請求の範囲第１項には、「凹凸状皮膜よりなる漏水防止材で、一方喰違い状に開口し、開口部両端および表に通気孔を設けた。又、（図２）には、５は気孔とある。
【０００７】
従来の技術文献（５）（特許請求の範囲）の（請求項１）（請求項３）（０００９）には、男性の陰茎部に装着して排尿を吸収保持し得る男性用排尿具を固定するための男性用排尿具の固定具であって、前記陰茎部に装着した男性用排尿具を包み込んだ状態、以下雀略。又、（００２１）支承体２の開口部２ａの閉塞状態を維持し得る……一部省略。（００２８）一部省略。（使用時）には男性用排尿具１全体を包み込むのではなく男性用排尿具１の先端部位のみを包み込んで前記開放部２ｃから男性用排尿具１の一部が露出することになるから、男性用排尿具１の通気機能に何ら支障を来す事なく、以下省略、と記載されていた。
【０００８】
以上、（０００２）の、従来の技術の放熱・換気に関して列挙した。
以下、（０００２）の、従来の技術の圧迫感の排除の文献に関する。
【０００９】
従来の技術文献（１）（０００５）（作用）１．本体（１）の横切断面が楕円形であるため、短かい方の縦径が挿入した人体尿器（１０）を軽く挟んで押さえる作用をする。とあった。
【００１０】
従来の技術文献（２）（特許請求の範囲）（請求項１）一部省略、筒状体内部に挿入されたペニスに対して前記筒状体の口部を締め付け可能な締め付け手投とを有することを特徴とする男性用尿取りパッド。とある。
【００１１】
従来の技術文献（３）は、（請求項３）一部省略、筒状装着体の吸収体に被覆されない他方の開口端部から男性の陰茎部を挿入し得る。一部省略　（請求項５）（省略、この包装状態をテープや紐などの止着手段により止着して保持し得るように構成した、一部省略。
（００３２）・（００３３）・一部省略、筒状装着体２をコイル状筒体に構成した故に適度な弾力性があってしなやかに曲がったりすることができる為、陰茎部１の径の大きさなどの個人差に間係なく常に適切な状態でフィットして装着し得るものであるから、使用者にとっては従来例のような妙な違和感（圧迫感）を感じることがなくなる。とある。
【００１２】
従来の技術文献（４）違和感・圧迫感について詳細な文献がなかった。
【００１３】
従来の技術文献（５）　（請求項１）　男性の陰茎部に装着して排尿を吸収保持し得る男性用排尿具を固定するための男性用排尿具の固定具、（００１１）・（００１６）・（００１７）・一部省略、布製の支希体２を採用し、この支承体２を男性用排尿具１を包み込んだ状態で支承し得る袋状体に構成した。（００１８）一部省略、装着時には、支承体２が装着部３に対して適度な自由動を許容され得るものであるから、装着時における圧迫感や違和感が確実に軽減されることとなる。
（００２４）本実施例は、男性の陰茎部に装着した男性用排尿具１を固定するためのものであり、前記男性用排尿具１を包み込んだ状態で支承し得る布製の支承体２を設け、以下省略。（００３９）・（００４６）前後省略、無理に押さえ付けて固定しようとするものではないから、‥装着時には男性用排尿具１が陰茎部から擦れて外れてしまうのを防止しつつも、支承体２が装着部３に対して適度な自由動を許容され得るものであるから、装着時の圧迫感や違和感を確実に軽減し。とある。
【００１４】
【考案が解決しようとする課題】
従来の技術について放熱・換気・又、男性の陰茎・尿道への庄迫感に対しての引用文献には、上記のように提案され記載されていた。
【００１５】
本来の目的達成のための円筒形方式男性漏尿防止具として最重点課題である、放熱・換気と、夜間の就寝中の上向きの状態での蓄尿量の重みから少しずつくる違和感・尿道への圧迫感、この放熱・換気の完全機能、又就寝中の尿道への圧迫感の完全排除、その確立をさせるという課題であった。
【００１６】
【課題を解決するための手段】
本考案は上記の課題を解決するためになされたもので、実用登録第３０９３４４７号の保護ガイド１の形状を、Ｕ型圧迫排除曲折補助具接合に伴い、改良（図２）をし、又、実用登録第３０９３４４７号の漏尿防止具の動揺を防止するための寸法調整ゴムバンド１５の止め位置を、改良多目的保護ガイド１−Ａと、Ｕ型圧迫排除曲折補助具の接合により、保護ガイド１より前垂れ部１１の止め穴３ヶ所１５−ｂに位置を変更した。
【００１７】
又、本考案は実用登録第３０９３４４７号の保護ガイド１の形状に、改良を加え、同一の樹脂で造形し加工して、適度の強度と前後・左右に弾力性を保持、尿道との間に平均１４ミリの尿道への圧迫完全排除を確立する隙間を設け就寝用に開発したＵ型圧迫排除曲折補助具を、長・短接続脚により改良の保護ガイド陰茎押入口前部位置に接合させ、就寝中横向きの姿勢では殆ど圧迫感を感じることはないが、上向きの状態では、蓄尿量の重みから少しずつくる、尿道への圧迫感の完全排除を確立し開発した。
【００１８】
実用登録第３０９３４４７号の保護ガイド１は、防尿カバー安定のための独立させた独特のもので、上部には、換気孔２、内部には防尿カバーと陰茎との接触防止の保護リング３を設けているが、更に、換気孔に増幅を設けて効率的で完全な放熱・換気孔として、本来の目的を画期的で効果を多大にした。
【００１９】
本考案の使用には、実用登録第３０９３４４７号の（請求項２）の装着具を使用する。
【００２０】
以上、本考案の、課題を解決するための要旨の説明に関する男性用漏尿防止具改良多目的保護ガイド１−Ａである。
【００２１】
【考案の実施の形態】
図１は、内径４０ミリ・４５ミリ・５０ミリの３分類、長さ１００ミリ、重量７グラムで、金鋼状に仕切り、樹脂で造形、加工された実用登録第３０９３４４７号の保護ガイドの１である。保護ガイド１には、放熱と換気を主体に、上部に位置する換気孔▲２▼と、又、陰茎と防尿フィルムとの接触を排除して、むれ、かぶれ等の不快感を解消する保護リング３を兼ね供えている。
【００２２】
図２は、実用登録第３０９３４４７号の保護ガイド１の内径４０ミリ・４５ミリ・５０ミリの３分類の寸法に準じて樹脂により造形・加工、又、形状を、Ｕ型圧
迫排除曲折補助具接合に伴い、改良
【図２】をした、男性用漏尿防止具改良多目的保護ガイド１−Ａである。上部には、換気孔２、内部には防尿カバーと陰茎との接触防止の保護リング３を設けている。
【００２３】
図３は、本考案は実用登録第３０９３４４７号の保護ガイド１の形状を、就寝用に一部改良を加え、同一の樹脂で造形・加工した男性用漏尿防止具改良多目的保護ガイド１−Ａに同一の樹脂により造形・加工したＵ型圧迫排除曲折補助具▲４▼を接合し、又、更に換気孔２の倍増面２−ａを設けた。保護リング３である。
【００２４】
図４、実用登録第３０９３４４７号の保護ガイド１の内径４０ミリ・４５ミリ・５０ミリの３分類の寸法に準じて樹脂により造形・加工したＵ型圧迫排除曲折補助具正面図４である。上部半円形の丸棒の径は３ミリ５、その下部両端に弾力止め小玉直径４ミリ６、この８ミリ先に、径６ミリ長サ３５ミリ先曲り棒７は左・右に圧迫調整のための弾力幅８（点線）を保持している。
【００２５】
図５、本考案の側面図である。長・短・接続脚　上部は長サ１６ミリ・９・中間は長サ１３ミリ・１０・下部は長サ１４ミリ・１１により改良多目的保護ガイド１−Ａに接合させる。又、上記図４・１０と同様先曲り棒７は、前・後・に圧迫調整のための弾力幅１２（点線）を保持させている。先曲り１３は違和感排除スベリである。
【００２６】
図６は、Ｕ型圧迫排除曲折補助具４の先曲り棒７の曲折度数１４は、弾力止め小玉６を基点に１５度である。先曲り１３である。
【００２７】
図７本考案は、男性用漏尿防止具改良多目的保護ガイド１−ＡにＵ型圧迫排除曲折補助具４を接合させた斜視面図である。
【００２８】
図８は、実用登録第３０９３４４７号の装着具１７の漏尿防止具の動揺を防止するための寸法調整ゴムバンド１５の止め位置を、本考案のＵ型圧迫排除曲折補助具４の接合により、男性用漏尿防止具改良多目的保護ガイド１−Ａより前垂れ部１１の止め穴３ヶ所１５−ｂに位置の変更をした。
【００２９】
【考案の効果】
本考案に係る、尿失禁の補助のための男性用漏尿防止具改良多目的保護ガイド１−Ａ及びＵ型圧迫排除曲折補助具の接合により、考案の効果として、本来の目的を面期的で効果を多大にした。
【００３０】
効果−（１）（図４）・（図５）に示したように適度の強度と前後・左右に圧迫調整のための彈力幅・（点線）を保持して日中の行動中、夜間の就寝中の横向き状態姿勢で殆ど圧迫感を感じることはないが、上向きの状態では、蓄尿量の重みから少しずつくる、尿道への圧迫感の完全排除を確立・開発しその効果を多大にした……Ｕ型圧迫排除曲折補助具４。
【００３１】
効果−（２）　放熱・換気に関して、……実用登録第３０９３４４７号の保護ガイドは防尿カバー安定のための独立させた独特のもので、上部には、換気孔２、内部には防尿カバーと陰茎との接触防止の保護リング３を設けているが、更に換気孔２の倍増面２−ａを設けて効率的で完全な放熱・換気孔として、本来の目的を達成した。
【００３２】
効果−（３）　男性用漏尿防止具改良多目的保護ガイド１−Ａ及びＵ型圧迫排除助折補助具は軽量で経費も少なく、同一の樹脂で造形・加工しているので錆びなく、耐久性に富み、就寝用に開発しているが、日常の生活行動にも支障なく使用可能な実用性の高い優れものである。
【００３３】
効果−（４）　男性用漏尿防止具改良多目的保護ガイド１−ＡとＵ型圧迫排除曲折補助具の長・短接続脚との間・尿道との間に隙間平均幅１４ミリを確保、就寝中の尿道への圧迫感の排除を確立・解消し、開発したものである。
【００３４】
効果−（５）　本考案の、男性用漏尿防止具改良多目的保護ガイド１−Ａは、実用登録第３０９３４４７号の防尿カバー４と、兼用となるように構成したから、非常にコスト安と経費も少なく、取り替えも短時間で簡単に事後処理が可能。従って日常の生活行動範囲が広がり尿失禁のストレスの解消、快適な生活様式を形にし、実用性の効果を多大にした独特のものである。
【００３５】
上記に記載されている本考案の効果を列挙した。Ｕ型圧迫排除曲折補助具を接合させたのも含め、（考案の名称）を男性用漏尿防止具改良多目的保護ガイド１−Ａとした。
【００３６】
【図面の簡単な説明】
【図１】本考案に係る実用登録第３０９３４４７号の男性用漏尿防止具の保護ガイド１の側面図である。
【図２】本考案に係る男性用漏尿防止具改良多目的保護ガイド１−Ａの側面図である。
【図３】本考案に係る男性用漏尿防止具改良多目的保護ガイド１−Ａ用Ｕ型圧迫排除曲折補助具を一部改良保護ガイド１−Ａに接合させた側面図である。
【図４】本考案に係る男性用漏尿防止具改良多目的保護ガイド１−Ａ用Ｕ型圧迫排除曲折補助具４の正面図である。
【図５】本考案に係る男性用漏尿防止具改良多目的保護ガイド１−Ａ用Ｕ型圧迫排除曲折補助具側面図である。
【図６】本考案に係る男性用漏尿防止具改良多目的保護ガイド１−Ａ用Ｕ型圧迫排除曲折補助具斜視面図である。
【図７】本考案に係る男性用漏尿防止具改良多目的保護ガイド１−Ａ用とＵ型圧迫排除曲折補助具を一部改良保護ガイド１−Ａに接合させた斜視面図である。
【図８】本考案に係る実用登録第３０９３４４７号の装着具１７の正面図と、寸法調整ゴムバンド１５の止め位置、止め穴３ヶ所１５−ｂに位置の変更をした変更図である。
【００３７】
【符号の説明】
１　　　　　　　　　　　　　実用登録第３０９３４４７号の保護ガイド１
１−Ａ　　　　　　　　　　　　男性用漏尿防止具改良多目的保護ガイド１−Ａ
２　　　　　　　　　放熱・換気孔
２・ａ　　　　　　　　　　　　放熱・換気孔
３　　　　　　　　　保護リング
４　　　　　　　　　Ｕ型圧迫排除曲折補助具
５　　　　　　　　　上部半円形の丸棒
６　　　　　　　　　両端に弾力止め小玉
７　　　　　　　　　先曲り棒
８　　　　　　　　　弾力幅（点線）
９　　　　　　　　　接続脚……長さ１６ミリ
１０　　　　　　　　　接続脚……長さ１３ミリ
１１　　　　　　　　　接続脚……長さ１４ミリ
１２　　　　　　　　　弾力幅（点線）
１３　　　　　　　　　違和感排除スベリ
１４　　　　　　　　　曲線度数　１５度
１５　　　　　　　　　実用登録第３０９３４４７号の寸法調整ゴムバンド
１５−ｂ　　　　　　　　　　　　止め穴３ヶ所
１１　　　　　　　　　実用登録第３０９３４４７号の前垂れ部
１７　　　　　　　　　実用登録第３０９３４４７号の装着部
【図１】
0003099364.tif 000003
【図２】
0003099364.tif 000004
【図３】
0003099364.tif 000005
【図４】
0003099364.tif 000006
【図５】
0003099364.tif 000007
【図６】
0003099364.tif 000008
【図７】
0003099364.tif 000009
【図８】
0003099364.tif 000010
【手続補正書】
【提出日】平成15年7月18日(2003.7.18)
【手続補正１】
【補正対象書類名】明細書
【補正対象項目名】請求項４
【補正方法】変更
【補正の内容】
【請求項４】
本考案の使用には、実用登録第３０９３４４７号の（請求項１）防尿カバーと（請求項２）の装着具を使用する。
【手続補正２】
【補正対象書類名】明細書
【補正対象項目名】００１９
【補正方法】変更
【補正の内容】
【００１９】
本考案の使用には、実用登録第３０９３４４７号の（請求項１）の防尿カバーと（請求項２）の装着具を使用する。


【手続補正３】
【補正対象書類名】明細書
【補正対象項目名】００２１
【補正方法】変更
【補正の内容】
【００２１】
【考案の実施の形態】
図１は、内径４０ミリ・４５ミリ・５０ミリの３分類、長さ１００ミリ、重量７グラムで、金鋼状に仕切り、樹脂で造形、加工された実用登録第３０９３４４７号の保護ガイドの１である。保護ガイド１には、放熱と換気を主体に、上部に位置する換気孔２と、又、陰茎と防尿カバーとの接触を排除して、むれ、かぶれ等の不快感を解消する保護リング３を兼ね供えている。


【手続補正４】
【補正対象書類名】明細書
【補正対象項目名】００２２
【補正方法】変更
【補正の内容】
【００２２】
図２は、実用登録第３０９３４４７号の保護ガイド１の内径４０ミリ・４５ミリ・５０ミリの３分類の寸法に準じて樹脂により造形・加工、又、形状を、Ｕ型圧迫排除曲折補助具接合に伴い、改良（図２）をした、男性用漏尿防止具改良多目的保護ガイド１−Ａである。上部には、換気孔２、内部には防尿カバーと陰茎との接触防止の保護リング３を設けている。


【手続補正５】
【補正対象書類名】明細書
【補正対象項目名】００２３
【補正方法】変更
【補正の内容】
【００２３】
図３は、本考案は実用登録第３０９３４４７号の保護ガイド１の形状を、就寝用に一部改良を加え、同一の樹脂で造形・加工した男性用漏尿防止具改良多目的保護ガイド１−Ａに同一の樹脂により造形・加工したＵ型圧迫排除曲折補助具４を接合し、又、更に換気孔２の倍増面２−ａを設けた。保護リング３である。


【手続補正６】
【補正対象書類名】明細書
【補正対象項目名】００２５
【補正方法】変更
【補正の内容】
【００２５】
図５、本考案の側面図である。長・短・接続脚上部は長サ１６ミリ９、中間は長サ１３ミリ１０、下部は長サ１４ミリ１１、により改良多目的保護ガイド１−Ａに接合させる。又、上記図４と同様先曲り棒７、は前・後・に圧迫調整のための弾力幅１２（点線）を保持させている。先曲り１３、は違和感排除スベリである。




【手続補正書】
【提出日】平成15年9月9日(2003.9.9)
【手続補正１】
【補正対象書類名】明細書
【補正対象項目名】全文
【補正方法】変更
【補正の内容】
【実用新案登録請求の範囲】
【請求項１】合成樹脂からなる複数本の接続脚が立設された合成樹脂からなる上部半円形の丸棒の両端部に弾力止め小玉を介して弾力性を有する先曲がり棒が固着されたＵ型圧迫排除折曲補助具が、内部に陰茎を挿入するための陰茎挿入口と陰茎との接触防止の保護リングと前記陰茎挿入口の上部に換気孔を有し、外部を防尿カバーで覆う金網状からなる保護ガイドの前記陰茎挿入口の前部位置に前記接続脚を介して取り付けられたことを特徴とする男性用漏尿防止具改良多目的保護ガイド。
【考案の詳細な説明】
【０００１】
【考案に属する技術分野】
本考案は、尿失禁の補助のための男性用漏尿防止具改良多目的保護ガイド１−Ａに関する。
【０００２】
【従来の技術】
本考案に係る、先行引用文献（１）実願平５−７６８９７号・（２）特開平１１−２９０３６５号・（３）特開平１１−７６２８５号・（４）実願昭６１−６０８３９号・（５）特開平１１−１６９３９７号（以下従来の技術、文献（１）・（２）・（３）・（４）・（５）と称す）等、及びその考案が解決しようとする文献について、本来の目的達成のための円筒形方式男性漏尿防止具として最重点課題である、放熱・換気と、夜間の就寝中の上向きの状態での蓄尿量の重みから少しずつくる違和感・尿道への圧迫感排除に関する。
【０００３】
従来の技術文献（１）（請求の範囲）によると、（請求項１）１．非通水性紙を素材とし、底付き楕円筒である本体・・・以下省略、２．　本体（１）の上部にソフト紙を素材としたソフトキャップ（９）を有する人体尿器挿入口（５）が設けられていることを特徴とする請求項１の男性用小用チビリ具とある。又、同従来の技術（０００５）（作用）２．本体（１）の横切断面が楕円形であるため、長い方の横径が人体尿器（１０）の直径よりも大きいので、その空間から本体（１）内に空気の流通作用をする。とある。
【０００４】
従来の技術文献（２）（特許請求の範囲）の（請求項１）には、一部省略、筒状体内部に挿入されたペニスに対して前記の筒状体の口部を締め付け可能な締め付け手段を有することを特徴とする。とある。
【０００５】
従来の技術文献（３）は、（００１７）・（００２０）・（００３１）・（００３９）、従来から提案されているものに比して飛躍的に通気性が良くなり蒸れにくくなる。とある。
【０００６】
従来の技術文献（４）の実用新案登録請求の範囲第１項には、「凹凸状皮膜よりなる漏水防止材で、一方喰違い状に開口し、開口部両端および表に通気孔を設けた。又、（図２）には、５は気孔とある。
【０００７】
従来の技術文献（５）（特許請求の範囲）の（請求項１）（請求項３）（０００９）には、男性の陰茎部に装着して排尿を吸収保持し得る男性用排尿具を固定するための男性用排尿具の固定具であって、前記陰茎部に装着した男性用排尿具を包み込んだ状態、以下省略。又、（００２１）支承体２の開口部２ａの閉塞状態を維持し得る・・・・一部省略。（００２８）一部省略。（使用時）には男性用排尿具１全体を包み込むのではなく男性用排尿具１の先端部位のみを包み込んで前記開放部２ｃから男性用排尿具１の一部が露出することになるから、男性用排尿具１の通気機能に何ら支障を来す事なく、以下省略、と記載されていた。
【０００８】
以上、（０００２）の従来の技術の放熱・換気に関して列挙した。
以下、（０００２）の、従来の技術の圧迫感の排除の文献に関する。
【０００９】
従来の技術文献（１）（０００５）（作用）１．本体（１）の横切断面が楕円形であるため、短かい法の縦径が挿入した人体尿器（１０）を軽く挟んで押さえる作用をする。とあった。
【００１０】
従来の技術文献（２）（特許請求の範囲）（請求項１）一部省略、筒状体内部に挿入されたペニスに対して前記筒状体の口部を締め付け可能な締め付け手段とを有することを特徴とする男性用尿取りパッド。とある。
【００１１】
従来の技術文献（３）は、（請求項３）一部省略、筒状装着体の吸収体に被覆されない他方の開口端部から男性の陰茎部を挿入し得る。一部省略（請求項５）（省略、この包装状態をテープや紐などの止着手段により止着して保持し得るように構成した、一部省略。　（００３２）・（００３３）・一部省略、筒状装着体２をコイル状筒体に構成した故に適度な弾力性があってしなやかに曲がったりすることができる為、陰茎部１の径の大きさなどの個人差に関係なく常に適切な状態でフィットして装着し得るものであるから、使用者にとっては従来例のような妙な違和感（圧迫感）を感じることがなくなる。とある。　　【００１２】
従来の技術文献（４）違和感・圧迫感について詳細な文献がなかった。
【００１３】
従来の技術文献（５）（請求項１）男性の陰茎部に装着して排尿を吸収保持し得る男性用排尿具を固定するための男性用排尿具の固定具、（００１１）・（００１６）・（００１７）・一部省略、布製の支希体２を採用し、この支承体２を男性用排尿具１を包み込んだ状態で支承し得る袋状体に構成した。（００１８）一部省略、装着時には、支承体２が装着部３に対して適度な自由動を許容され得るものであるから、装着時における圧迫感や違和感が確実に軽減されることとなる。
（００２４）本実施例は、男性の陰茎部に装着した男性用排尿具１を固定するためのものであり、前記男性用排尿具１を包み込んだ状態で支承し得る布製の支承体２を設け、以下省略。（００３９）・（００４６）前後省略、無理に押さえ付けて固定しようとするものではないから、・・装着時には男性用排尿具１が員軽侮から擦れて外れてしまうのを防止しつつも、支承体２が装着部３に対して適度な自由動を許容され得るものであるから、装着時の圧迫感や違和感を確実に軽減し。とある。
【００１４】
先行出願の実用登録第３０９３４４７号には、保護ガイドには換気孔を設けている、とある。又、圧迫感について詳細な考案がなかった。
【００１５】
【考案が解決しようとする課題】
従来の技術について放熱・換気・又、男性の陰茎・尿道への圧迫感に対しての引用文献には、上記のように提案され記載されていた。
【００１６】
本来の目的達成のための円筒形方式男性漏尿防止具として最重点課題である、放熱・換気と夜間の就寝中の上向きの状態での蓄尿量の重みから少しずつくる違和感・尿道への圧迫感、この放熱・換気の完全機能、又就寝中の尿道への圧迫感の完全排除、という文献がなくその確立をさせるという課題であった。
【００１７】
上記の課題を解決するために、先行出願の実用登録第３０９３４４７号の保護ガイド１（図１１）の形状を、男性用漏尿防止具改良多目的保護ガイド１−Ａの様に改良（図１）した。本考案の男性用漏尿防止具改良多目的保護ガイド１−Ａを使用するには、実用登録第３０９３４４７号に記載された図８の１５・・・防水カバーと、図１０の２２・・・装着具を使用する。
【００１８】
【課題を解決するための手段】
合成樹脂からなる複数本の接続脚が立設された合成樹脂からなる上部半円形の丸棒の両端部に弾力止め小玉を介して弾力性を有する先曲がり棒が固着されたＵ型圧迫排除折曲補助具が、内部に陰茎を挿入するための陰茎挿入口と陰茎との接触防止の保護リングと前記陰茎挿入口の上部に換気孔を有し、外部を防尿カバーで覆う金網状からなる保護ガイドの前記陰茎挿入口の前記位置に前記接続脚を介して取り付けられたことを特徴とする男性用漏尿防止具改良多目的保護ガイド。
【００１９】
【考案の実施の形態】
図１は、実用登録第３０９３４４７号の保護ガイド１の内径４０ミリ・４５ミリ・５０ミリの３分類の寸法に準じて樹脂により造形・加工、又、形状をＵ型圧迫排除曲折補助具接合に伴い、改良（図１）をした、男性用漏尿防止具改良多目的保護ガイド１−Ａである。上部には、換気孔２、内部には防尿カバーと陰茎との接触防止の保護リング３を設けている。
【００２０】
図２は、実用登録第３０９３４４７号の保護ガイド１の内径４０ミリ・４５ミリ・５０ミリの３分類の寸法に準じて樹脂により造形・加工したＵ型圧迫排除曲折補助具正面図４である。上部半円形の丸棒の径は３ミリ５、その下部両端に弾力止め小玉直径４ミリ６、この８ミリ先に、径６ミリ長サ３５ミリ先曲り棒７は左・右に圧迫調整のための弾力幅８（点線）を保持している。
【００２１】
図３は、本考案の側面図である。長・短・接続脚上部は長サ１６ミリ９、中間は長サ１３ミリ１０、下部は長サ１４ミリ１１、により改良多目的保護ガイド１−Ａに接合させる。上記（図２）と同様先曲り棒７、は前・後・に圧迫調整のための弾力幅１２（点線）を保持させている。先曲り１３、は違和感排除スベリである。
【００２２】
図４、Ｕ型圧迫排除曲折補助具４の先曲り棒７の曲折度数１４は、弾力止め小玉６を基点に１５度である。先曲り１３である。
【００２３】
図５、本考案は実用登録第３０９３４４７号の保護ガイド１の形状を、就寝用に一部改良を加え、同一の樹脂で造形・加工した男性用漏尿防止具改良多目的保護ガイド１−Ａに同一の樹脂により造形・加工したＵ型圧迫排除曲折補助具４を接合し、又、更に換気孔２の倍増面２ａを設けた。保護リング３である。
【００２４】
図６は、男性用漏尿防止具改良多目的保護ガイド１−ＡにＵ型圧迫排除曲折補助具４、を接合させた斜視面図である。
【００２５】
図７は本考案は、就寝用に開発したＵ型圧迫排除曲折補助具４、を改良多目的保護ガイド１−Ａ、に接合させ、男性用漏尿防止具改良多目的保護ガイド１−Ａに防尿カバー１５、を固定したものである。
【００２６】
図８は、男性用漏尿防止具改良多目的保護ガイド１−Ａに固定して排尿を吸収保持し得る排尿吸収材２１、を包む防尿フィルム１９、さらに外部を漏尿防止のビニール袋２０、で包んで、袋状に形状されている。その上部に伸縮解放口１６、をその下部に漏尿防止テープ１７、を設けた防尿カバー１５、の中央に使用時のズレ防止動揺を防止するための両面粘着テープ１８、を用いて漏尿防止装着具２２、の収納部２７、内に止着させる防尿カバー１５、の正面図である。
【００２７】
図９は男性用漏尿防止具改良多目的保護ガイド１−Ａ、と防尿カバー１５、の組み合わせで、その側面一部切欠き断面図である。男性用漏尿防止具改良多目的保護ガイド１−Ａは、防尿カバー安定のための独立させた独特のものであるが、保護ガイド１−Ａ内部には陰茎と防尿カバー１５、との接触を排除して、かぶれの不快感を解消する保護リング３を設けている。陰茎挿入口３０。
【００２８】
図１０、腰部に捲着可能な装着具２２、である。前垂れ部２３、捲着を可能にする装着部２８、とその装着部を止めるマジックテープ（登録商標）２５、を取り付けている。さらに、男性用漏尿防止具改良多目的保護ガイド１−Ａの動揺を防止するための寸法調整ゴムバンド２４、と、寸法調整ゴムバンド止め穴３ヶ所２４ｂ、を設け、又、前垂れ部２３、の他端に寸法調整部２６、男性用漏尿防止具改良多目的保護ガイド１−Ａを収納する収納部２７、である。
【００２９】
図１１は、内径４０ミリ・４５ミリ・５０ミリの３分類、長さ１００ミリ、重量７グラムで、金網状に仕切り、樹脂で造形、加工され実用登録第３０９３４４７号の保護ガイド１の形状に改良をして、男性用漏尿防止具改良多目的保護ガイド１−Ａとして、使用した保護ガイド１、である。
【００３０】
【考案の効果】
本考案に係る、尿失禁の補助のための男性用漏尿防止具改良多目的保護ガイド１−Ａ、及びＵ型圧迫排除曲折補助具の接合により、考案の効果として、本来の目的を開発しその効果を確立した。
【００３１】
効果―（１）（図２）・（図３）に示したように適度の強度と前後・左右に圧迫調整のための弾力幅・（点線）を設け保持したため、夜間の就寝中の横向きの姿勢では殆ど圧迫感を感じることはなかったが、上向きの状態では、蓄尿量の重みから少しずつくる、尿道への圧迫感の完全排除を確立をした。又、本来の目的達成のための円筒形方式男性漏尿防止具としての最重点課題を確立した。
【００３２】
効果―（２）放熱・換気、・・・男性用漏尿防止具改良多目的保護ガイド１−Ａは防尿カバー安定のための独立させた独特のものである。上部には、換気孔２、を設けているが、更に換気孔２、に倍増面２―ａを設けて効率的で完全な放熱・換気孔として、本来の目的、蒸れの解消、その効果を完全なものにした。
【００３３】
効果―（３）男性用漏尿防止具改良多目的保護ガイド１−Ａ及びＵ型圧迫排除曲折補助具は軽量で経費も少なく、同一の樹脂で造形・加工しているので錆びなく、耐久性に富み、就寝用に開発しているが、日常の生活行動にも支障なく使用可能な実用性の高い優れものである。
【００３４】
効果―（４）男性用漏尿防止具改良多目的保護ガイド１−ＡとＵ型圧迫排除曲折補助具の長・短接続脚との間・尿道との間に間隙平均幅１４ミリを確保、就寝中の尿道への圧迫感の排除を確立・解消をした。
【００３５】
非常にコスト安と経費も少なく、取り替えも短時間で簡単に事後処理が可能。従って日常の生活行動範囲が広がり尿失禁のストレスの解消、快適な生活様式を形にし、実用性の効果を多大にした独特のものである。
上記に記載されている本考案の効果を列挙した。Ｕ型圧迫排除曲折補助具を接合させたのも含め、（考案の名称）を男性用漏尿防止具改良多目的保護ガイド１−Ａとした。【００３６】
【図面の簡単な説明】
【図１】本考案に係る男性用漏尿防止具改良多目的保護ガイド１−Ａの側面図である。
【図２】本考案に係る男性用漏尿防止具改良多目的保護ガイド１−Ａ用Ｕ型圧迫排除曲説補助具４の正面図である。
【図３】本考案に係る男性用漏尿防止具改良多目的保護ガイド１−Ａ用Ｕ型圧迫排除曲折補助具側面図である。
【図４】本考案に係る男性用漏尿防止具改良多目的保護ガイド１−Ａ用Ｕ型圧迫
排除曲折補助具斜視面図である。
【図５】本考案に係る男性用漏尿防止具改良多目的保護ガイド１−Ａ用Ｕ型圧迫
排除曲折補助具を一部改良保護ガイド１−Ａに接合させた側面図である。
【図６】本考案に係る男性用漏尿防止具改良多目的保護ガイド１−Ａ用のＵ型圧迫排除曲折補助具を一部改良保護ガイド１−Ａに接合させた斜視面図である。
【図７】本考案に係る男性用漏尿防止具改良多目的保護ガイド１−Ａに防水カバー１５、
を接合させ固定した側面図である。
【図８】本考案に係る男性用漏尿防止具の一部を構成すると防水カバーの正面図である。
【図９】本考案に係る男性用漏尿防止具改良多目的保護ガイド１−Ａと防水カバーの組み
合わせと、その側面一部切欠き断面図である。
【図１０】本考案に係る男性用漏尿防止具の腰部に捲着可能な装着具の背面図である。
【図１１】本考案に係る実用登録第３０９３４４７号の男性用漏尿防止具の保護ガイド１の側面図である。
【００３７】
【符号の説明】
１−Ａ　　　　男性用漏尿防止具改良多目的保護ガイド
２　　　　　　放熱・換気孔
２ａ　　　　　放熱・換気孔
３　　　　　　保護リング
４　　　　　　Ｕ型圧迫排除曲折補助具
５　　　　　　上部半円形の丸棒
６　　　　　　両端に弾力止め小玉
７　　　　　　先曲り棒
８　　　　　　弾力幅（点線）
９　　　　　　接続脚・・・長さ１６ミリ
１０　　　　　接続脚・・・長さ１３ミリ
１１　　　　　接続脚・・・長さ１４ミリ
１２　　　　　弾力幅（点線）
１３　　　　　違和感排除スベリ
１４　　　　　曲線度数　　１５度
１５　　　　　防尿カバー
１６　　　　　伸縮開放口
１７　　　　　漏尿防止テープ
１８　　　　　両面粘着テープ
１９　　　　　防尿フィルム
２０　　　　　ビニール袋
２１　　　　　排尿吸水材
２２　　　　　装着具
２３　　　　　前垂れ部
２４　　　　　寸法調整ゴムバンド
２４ｂ　　　　止め穴３ヶ所　（寸法調整ゴムバンド）
２５　　　　　マジックテープ（登録商標）
２６　　　　　寸法調整部
２７　　　　　収納部
２８　　　　　装着部
２９　　　　　間隙
３０　　　　　陰茎挿入口
１　　　　　　実用登録第３０９３４４７号の保護ガイド１


【手続補正２】
【補正対象書類名】図面
【補正対象項目名】全図
【補正方法】変更
【補正の内容】
【図１】
0003099364.tif 000011
【図２】
0003099364.tif 000012
【図３】
0003099364.tif 000013
【図４】
0003099364.tif 000014
【図５】
0003099364.tif 000015
【図６】
0003099364.tif 000016
【図７】
0003099364.tif 000017
【図８】
0003099364.tif 000018
【図９】
0003099364.tif 000019
【図１０】
0003099364.tif 000020
【図１１】
0003099364.tif 000021